(57)【要約】【課題】厚みがありクッション性に富んで使用感が良好な便座シートを得る。【解決手段】底面に便座との吸着シート２を備える基材３の表面を柔軟な表面生地４で覆う便座シートである。この便座シートにおいて、吸着シート２と表面生地４の間に、１０mm〜３０mmのクッション材５を配置し、基材３の周縁と表面生地４の周縁を縫着する。基材３は３mm程度の厚みを有する繊維性シート材とし、その底面に吸着シートを貼着し、基材の表面にクッション材５を貼着し、基材３と貼着したクッション材の表面を表面生地４で覆い、表面生地４の周辺部を基材の周辺部に貼着し、周縁は縁テープを用いて縫着する。【選択図】  図３
0003178688.tif 000002
【実用新案登録請求の範囲】
【請求項１】
底面に便座との吸着シートを備える基材の表面を柔軟な表面生地で覆う便座シートにおいて、吸着シートと表面生地の間に、１０mm〜３０mmのクッション材を配置し、基材の周縁と表面生地の周縁を縫着したことを特徴とする便座シート。
【請求項２】
基材は３mm程度の厚みを有する繊維性シート材とし、その底面に吸着シートを貼着するとともに、基材の表面にクッション材を貼着し、基材と貼着したクッション材の表面を表面生地で覆い、表面生地の周辺部を基材の周辺部に貼着し、周縁は縁テープを用いて縫着したことを特徴とする請求項１記載の便座シート。
【考案の詳細な説明】
【技術分野】
【０００１】
本考案は、各種タイプの便座に共通して使用することができる便座シートに関し、より使用感に優れた便座シートの構造に係る考案である。
【背景技術】
【０００２】
便座シートには、裏面に吸着シート（吸着剤）を備えたシート状であって、二枚一組として便座の上に置くだけで便座カバーの機能を果し、容易に着脱することができるものが知られている。
特許文献１には、一枚のシート本体の表面に表面繊維層を、裏面に粘着剤層を備えた便座シートが、特許文献２には、主体部の裏面の複数位置に吸着性部材を配置するとともに、複数の係止テープを設けた便座シート（カバー）の考案が記載されている。特許文献１には、表面繊維層と粘着剤層の間に、厚さ４ｍｍのクッション材を挟んだ複合シートの考案が記載されている。特許文献２にも、芯地と表生地の間にクッション材を配置することが図示されている。
【特許文献１】特開２０１１−１４２９９８号公報
【特許文献２】実用新案登録第３１４１４８６号公報
【考案の開示】
【考案が解決しようとする課題】
【０００３】
従来の、便座シートは比較的薄い一枚のシートで構成されているため、便座に装着して使用する場合に必ずしも使い心地のよいものではなかった。特許文献１や２にクッション材を配置することが記載されているが、あくまで薄いシート状であって、クッションとしては十分な弾力性を得ることができず、使用感が必ずしも良好なものでないという欠点があった。
【０００４】
上記、従来技術の欠点に鑑み、本考案は、厚みがありクッション性に富んで使用感が良好な便座シートを得ることを目的とするものである。また、別の目的は、厚みのある便座シートであっても型崩れしにくい丈夫な便座シートを実現することである。
【課題を解決するための手段】
【０００５】
請求項１記載の、本考案に係る便座シート１は、底面に便座Ａとの吸着シート２を備える基材３の表面を、柔軟な表面生地４で覆う便座シートに係るものである。
上記便座シートにおいて、吸着シート２と表面生地４の間に、１０mm〜３０mmのクッション材５を配置し、基材３の周縁と表面生地４の周縁を縫着することである。
【０００６】
請求項２記載の考案は、具体的な構造として、基材３は３mm程度の厚みを有する繊維性シート材とし、その底面に吸着シート２を貼着することである。そして、基材３の表面にクッション材５を貼着して基材と一体化した上で、基材３と貼着したクッション材５の表面を表面生地４で覆い、表面生地４の周辺部を基材３の周辺部に貼着し、周縁は縁テープ６を用いて縫着することである。
【考案の効果】
【０００７】
請求項１記載の考案によれば、便座シート１に十分な厚みのクッション材５を設けるため、使用感の良いものとすることができる。例えば、長時間に亘って使用する場合においても、使用者に強い刺激を与えることがなく、使い勝手の良いものとすることができる。
【０００８】
請求項２記載の考案によれば、厚みのあるクッション材５に使用者の体重が作用した場合において、例え斜め方向や使用者が体重移動をした場合においても、基材３とクッション材５が貼着されているため、クッション材に位置ずれを生じることがなく、表面生地４が基材５に貼着されていることから、どのような使用状態であっても、正常な形態を保つことができる。
【図面の簡単な説明】
【０００９】
【図１】図１は、本考案に係る便座シートの実施形態を示す斜視図、
【図２】図２は、便座に装着する使用状態を示す平面図、
【図３】図３は、本考案に係る便座シートの縦断面図、
【図４】図４は、図３に示す便座シートの、製造過程を示す部分断面図である。
【考案を実施するための最良の形態】
【００１０】
以下、本考案に係る便座シートの実施形態を添付の図面に基づいて説明する
図１は本考案に係る便座シートの斜視図、図２は環状の便座に装着した使用状態を示す平面図、図３は便座シートの縦断面図である。
【００１１】
本考案に係る便座シート１は、基材１の底面に便座Ａの表面と密着する吸着シート２を備えている。基材３の表面は、柔軟な表面生地４で覆うものであるが、吸着シート２と表面生地４の間に、１０mm〜３０mmのクッション材５を配置し、基材３の周縁と表面生地４の周縁を縫着している。クッション材としては、例えばポリウレタンフォームや、低反発材を採用することができる。
底面に吸着シートを備えた便座シートでは、図２に二点鎖線で示すように、便座シート１を便座Ａの表面の所定位置に置くだけで、実線で示す所定位置に装着することができる。
【００１２】
このとき、本考案に係る便座シートでは、図１から理解されるように、１０mm〜３０mmの厚みの、表面生地４に覆われたクッションが段部として現れる。したがって、使用者が腰を下ろしたときには十分なクッション性が確保され、座り心地の良いものが実現する。
【００１３】
使用者の肌に直接触れる表面生地４は、柔軟なニット生地、好ましくはパイル編みの編み地とする。
基材３は、ある程度の腰、強度と柔軟性を兼備するような繊維性シート材とするのが好ましい。具体的には、厚み３mm程度のフェルト生地を用い、その裏面に吸着シートを貼着して一体化する。基材３は、フェルト生地だけでなく不織布その他任意の生地を選択することができる。
【００１４】
基材３と表面生地４の間に配置するクッション材５は、図４（ａ）に示すように、予め基材３の表面に貼着しておく。図４における符号７は、接着層である。基材３に貼着されたクッション材５の表面は、図４（ｂ）に示すように表面生地４で覆う。クッション材５を覆った表面生地４の周辺部は、クッション材５と直接縫着するものであってもよいが、表面生地４の周辺部と基材３の周辺部を接着し、接着された状態の周縁部を縁テープで覆って縫着するのが、作業性が良く能率的に製造することができる。
【符号の説明】
【００１５】
１…便座シート、  ２…吸着シート、  ３…基材、  ４…表面生地、  ５…クッション材、  ６…縁テープ、  ７…接着層、  Ａ…便座。
【図１】
0003178688.tif 000003
【図２】
0003178688.tif 000004
【図３】
0003178688.tif 000005
【図４】
0003178688.tif 000006